(57)【要約】【課題】受動型の混合器の高い線形を利用して、振幅の平均値と最大値との比が大きい信号に対する線形性の維持と消費電力の低減とを図り得る、受信回路、及びそれを用いた受信装置を提供する。【解決手段】受信信号Ｓ１に対して周波数変換を行う受信回路２を有する受信装置１を用いる。受信回路２は、受信信号Ｓ１の周波数を変換するための受動型の混合器１３と、局部発振信号Ｓ２を生成し、局部発振信号Ｓ２を混合器１３に入力する局部発振器１４と、混合器１３に入力される前の受信信号Ｓ１のレベルを検出し、検出したレベルに応じて、局部発振信号Ｓ２のレベルを調整するレベル調整部２０とを備えている。【選択図】図２
2010166358.tif 000002
【特許請求の範囲】
【請求項１】
受信信号に対して周波数変換を行う受信回路であって、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする受信回路。
【請求項２】
前記レベル調整部は、前記局部発振器が前記混合器に入力する前記局部発振信号のレベルを調整する増幅器を備え、且つ、前記受信信号のレベルが、設定された閾値以下、又は設定された閾値より低い場合に、前記増幅器の動作を停止させる、請求項１に記載の受信回路。
【請求項３】
前記受信信号のＲＦ入力レベルが最小受信感度レベルから過大入力レベルまで変化する場合に、前記局部発振信号のレベルが、−４０ｄＢｍ〜＋１０ｄＢｍに設定されている、請求項１又は２に記載の受信回路。
【請求項４】
受信信号に対して周波数変換を行う受信回路を有する受信装置であって、
前記受信回路は、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする受信装置。
【請求項５】
前記レベル調整部は、前記局部発振器が前記混合器に入力する前記局部発振信号のレベルを調整する増幅器を備え、且つ、前記受信信号のレベルが、設定された閾値以下、又は設定された閾値より低い場合に、前記増幅器の動作を停止させる、請求項４に記載の受信装置。
【請求項６】
前記受信信号のＲＦ入力レベルが最小受信感度レベルから過大入力レベルまで変化する場合に、前記局部発振信号のレベルが、−４０ｄＢｍ〜＋１０ｄＢｍに設定されている、請求項４又は５に記載の受信装置。
【発明の詳細な説明】
【技術分野】
【０００１】
本発明は、受信回路、特には、受信信号の振幅の平均値と最大値との比が高い変調方式に対応可能な受信回路、及びそれを備えた受信装置に関する。
【背景技術】
【０００２】
一般に、受信装置が受信する受信信号の振幅は、一定ではなく、変動する。このため、受信装置には、受信信号の振幅が一定でなくても、広いダイナミックレンジにおいて高い線形性を維持することが求められる。加えて、近年、多くの分野で採用されているＯＦＤＭ（Orthogonal Frequency Division Multiplexing）では、受信信号の振幅の平均値と最大値との比（ＰＡＰＲ: Peak to Average Power Ratio）が他の変調方式に比べて大きいことから、受信装置には、以前にも増して、広いダイナミックレンジで高い線形性を維持することが求められている。
【０００３】
但し、受信信号の振幅が大きい場合において、高い線形性の維持を図るためには、ミキサ（混合器）における演算の処理を行う動作点を通常よりも高いところに設定する必要がある。そのため、ミキサに十分な電流を流す必要があり、受信回路の消費電力が大きくなってしまう。つまり、従来からの受信装置においては、高い線形性を維持しようとすると、消費電力が大きくなるという問題が発生してしまう。
【０００４】
このため、互いに相反する、高い線形性の維持と消費電力の増大抑制とを同時に達成するべく、能動型のミキサを備え、ミキシング後の信号を用いてフィードバック制御を行う、受信装置が提案されている（例えば、特許文献１〜３参照）。
【０００５】
具体的には、特許文献１及び特許文献２に開示されている受信装置は、受信信号をベースバンド信号まで復調した後で、ベースバンド信号の強さと閾値とを比較し、比較結果に応じて、高周波増幅器、ミキサ、ベースバンド回路において利得を変化させている。このため、受信信号の振幅に応じて、ダイナミックレンジの拡大及び縮小が行われるので、上記の相反した目的が達成できると考えられる。
【０００６】
また、特許文献３に開示されている受信装置は、受信信号の強さに応じて、ミキサの動作点をシフトさせている。特許文献３に開示されている受信装置においても、特許文献１及び２の場合と同様に、受信信号の振幅に応じて、ダイナミックレンジの拡大及び縮小が行われ、上記の相反した目的が達成できると考えられる。
【先行技術文献】
【特許文献】
【０００７】
【特許文献１】特開平６−２４４７５４号公報
【特許文献２】特開平１１−６９４５１号公報
【特許文献３】特開平１０−７９６８２号公報
【発明の概要】
【発明が解決しようとする課題】
【０００８】
ところで、特許文献１〜３に開示された受信装置においては、能動型のミキサが利用されているが、他の受信装置においては、受動型のミキサが利用される場合もある。電源電圧等の仕様条件が同じであれば、受動型のミキサは、能動型のミキサに比べて高い線形性特性を有している。よって、受動型のミキサを利用する場合は、ローカル信号（ＬＯ信号）のレベルの設定のみで、広いダイナミックレンジで高い線形性を維持することができる
。
【０００９】
しかしながら、受動型のミキサを利用した受信装置において、ＰＡＰＲ値の大きい信号を受信する場合は、受信信号の振幅の最大値に合わせて、ＬＯ信号の注入レベルも高く設定する必要がある。そして、ＬＯ信号の注入レベルを大きくするために出力レベルの高い局部発振器を用意する必要があり、このため、受信機全体での消費電力は高くなってしまう。
【００１０】
また、受信信号の振幅が最大値となる時間は非常に短く、ＬＯ信号の注入レベルを高くする必要がある時間も短いと考えられるが、最大振幅の信号の受信に備えて、ＬＯ信号の注入レベルは常に高くする必要がある。この結果、ごく僅かな時間の高い線形性を保つために、ＬＯ信号の出力レベルを大きなものに設定することとなり、非常に効率の悪い電力消費が行われている。
【００１１】
更に、特許文献１〜３に開示された技術では、ミキサから出力された後の信号を用いてフィードバック制御が行われている。よって、これらの技術を、受動型のミキサを利用した受信装置に適用しても、ＬＯ信号の注入レベルが受信信号の振幅に追随できないため、高い線形性の維持は困難である。
【００１２】
本発明の目的は、上記問題を解消し、受動型の混合器の高い線形性を利用して、振幅の平均値と最大値との比が大きい信号に対する線形性の維持と消費電力の低減とを図り得る、受信回路、及びそれを用いた受信装置を提供することにある。
【課題を解決するための手段】
【００１３】
上記目的を達成するために本発明における受信回路は、受信信号に対して周波数変換を行う受信回路であって、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする。
【００１４】
また、上記目的を達成するため本発明における受信装置は、受信信号に対して周波数変換を行う受信回路を有する受信装置であって、
前記受信回路は、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする。
【００１５】
上記本発明における受信回路及び受信装置では、従来の受信装置と異なり、局部発振信号のレベルは、混合器に入力される前の受信信号のレベルによって決定されるので、受信信号の振幅が急激に高くなっても、それに追随できる。また、受信信号のレベルが低いときは、局部発振信号のレベルも低くなるので、無駄な電力消費が削減される。このため、本発明における受信回路及び受信装置では、混合器として受動型が用いられているにも拘わらず、振幅の平均値と最大値との比が大きい信号に対する線形性の維持と、消費電力の低減とが達成される。
【００１６】
また、上記本発明における受信回路及び受信装置では、前記レベル調整部は、前記局部
発振器が前記混合器に入力する前記局部発振信号のレベルを調整する増幅器を備え、且つ、前記受信信号のレベルが、設定された閾値以下、又は設定された閾値より低い場合に、前記増幅器の動作を停止させる、態様とするのが好ましい。上記態様によれば、例えば、本発明における受信回路及び受信新装置を時分割多重（ＴＤＤ）システムに適用した場合において、送信状態のときに外来妨害雑音等を受信した際に、局部発振器を停止できるので、よりいっそう、消費電力の低減が図られる。
【００１７】
また、上記本発明における受信回路及び受信装置では、前記受信信号のＲＦ入力レベルが最小受信感度レベルから過大入力レベルまで変化する場合に、前記局部発振信号のレベルが、−４０ｄＢｍ〜＋１０ｄＢｍに設定されているのが好ましい。この場合は、線形性の維持がより確実なものとなる。
【発明の効果】
【００１８】
以上のように本発明における受信回路及び受信装置によれば、受動型の混合器の高い線形性を利用して、振幅の平均値と最大値との比が大きい信号に対する線形性の維持と消費電力の低減とを図ることができる。
【図面の簡単な説明】
【００１９】
【図１】図１は、本発明の実施の形態１における受信回路及び受信装置の構成を概略的に示すブロック図である。
【図２】図２は、図１に示す受信回路及び受信装置の構成をより具体的に示すブロック図である。
【図３】図３（ａ）は、受信信号の波形の一例を示す図であり、図３（ｂ）は、図１に示したレベル調整部が検出したレベル検出信号の波形の一例を示す図である。
【図４】図４は、本発明の実施の形態２における受信回路及び受信装置の構成を概略的に示すブロック図である。
【図５】図５は、図４に示す受信回路及び受信装置の構成をより具体的に示すブロック図である。
【発明を実施するための形態】
【００２０】
（実施の形態１）
以下、本発明の実施の形態１における受信回路及び受信装置について、図１〜図３を参照しながら説明する。最初に、本実施の形態１における受信回路及び受信装置の概略構成について説明する。図１は、本発明の実施の形態１における受信回路及び受信装置の構成を概略的に示すブロック図である。
【００２１】
図１に示す本実施の形態における受信装置１は、スーパーヘテロダイン受信装置であり、本実施の形態１における受信回路２を有している。図１に示すように、受信装置１は、アンテナ３と、ＲＦ（Radio Frequency）処理部１０と、レベル調整部２０と、ＩＦ（Intermediate Frequency）処理部３０と、ベースバンド処理部４０とを備えている。このうち、アンテナ３と、ＲＦ処理部１０と、レベル調整部２０とによって受信回路２が構成されている。
【００２２】
ＲＦ処理部１０は、アンテナ３で受信した受信信号に対して増幅を行った後、周波数変換を行い、中間周波の信号を生成する。生成された中間周波の信号は、ＩＦ処理部３０に入力される。また、ＲＦ処理部１０は、中間周波の信号を生成するため、図２を用いて後述するように、混合器１３と、局部発振器１４とを備えている。レベル調整部２０は、混合器１３に入力される前の受信信号のレベルを検出し、検出したレベルに応じて、局部発振信号のレベルを調整する。
【００２３】
ＩＦ処理部３０は、中間周波の信号に対して、フィルタリングや増幅を行い、処理が行われた中間周波の信号をベースバンド処理部４０に入力する。ベースバンド処理部４０は、中間周波の信号からベースバンド信号を抽出し、外部に出力する。また、本実施の形態１では、ベースバンド処理部４０は、生成されたベースバンド信号を増幅した後、これに対してアナログ−デジタル変換（Ａ／Ｄ変換）を行ない、デジタル信号を出力する。
【００２４】
ここで、図２及び図３を用いて、受信装置１の構成及び機能について更に具体的に説明する。図２は、図１に示す受信回路及び受信装置の構成をより具体的に示すブロック図である。図３（ａ）は、受信信号の波形の一例を示す図であり、図３（ｂ）は、図１に示したレベル調整部が検出したレベル検出信号の波形の一例を示す図である。
【００２５】
図２に示すように、ＲＦ処理部１０は、低雑音増幅を行う増幅器（アンプ）１１と、バンドパスフィルタ（ＢＰＦ）１２と、混合器（ミキサ）１３と、局部発振器１４とを備えている。アンテナ３によって受信された受信信号Ｓ１は微弱であるため、先ず、増幅器１１によって増幅され、その後、バンドパスフィルタ１２に入力される。バンドパスフィルタ１２は、受信装置１の用途に合わせて、受信装置１が受信を目的とする帯域の信号のみを通過させる。
【００２６】
バンドパスフィルタ１２を通過した受信信号Ｓ１は、混合器１３に入力される。混合器１３は、受動型の混合器であり、背景技術の欄で説明した特許文献１〜３に示された混合器と異なっている。具体的には、混合器１３は、ダイオードやトランス等（図示せず）を備えている。また、混合器１３には、局部発振器１４が生成した局部発振信号Ｓ２も入力されている。そして、混合器１３によって受信信号Ｓ１と局部発振信号Ｓ２とが混合され、中間周波の信号Ｓ３が生成される。
【００２７】
このように、ＲＦ処理部１０は、従来からのスーパーヘテロダイン受信装置のＲＦ処理部と同様に構成されているが、本実施の形態１では、ＲＦ処理部１０は、レベル調整部２０と接続されている。レベル調整部２０は、カプラー２１と、検波器（ＤＥＴ）２２と、制御電圧調整器（Ｖｃｔｒｌ）２３と、可変ゲインアンプ２４とを備えている。
【００２８】
カプラー２１は、受信信号Ｓ１から混合器１３までの経路に分岐を形成し、ＲＦ処理部１０に入力される前の受信信号Ｓ１を取り出している。カプラー１１によって取り出された受信信号Ｓ１は、検波器２２に入力される。検波器２２は、取り出された受信信号Ｓ１に応じた検波電圧を出力する。
【００２９】
具体的には、図３（ａ）に示す受信信号Ｓ１が検波器２２に入力されると、検波器２２は、受信信号Ｓ１の片側のピーク値に沿った波形を描く信号（検出信号Ｓ８）を生成する。生成された検出信号Ｓ８は、制御電圧調整器２３に入力される。制御電圧調整器２３は、入力された検出信号Ｓ６に基づいて、可変ゲインアンプ２４のゲインを制御するための制御信号Ｓ９を生成し、これを可変ゲインアンプ２４に入力する。
【００３０】
可変ゲインアンプ２４は、混合器１３と局部発振器１４との間に配置され、制御信号Ｓ９に基づいて、局部発振信号Ｓ２のレベル（注入レベル）を調整する。このような構成により、可変ゲインアンプ２４は、受信信号Ｓ１の振幅が大きくなると、局部発振信号Ｓ２のレベルを大きくする。また、可変ゲインアンプ２４は、受信信号Ｓ１の振幅が小さくなると、局部発振信号Ｓ２のレベルも小さくする。この結果、無駄な電力消費が抑えられる。
【００３１】
また、本実施の形態１では、消費電力の低減をいっそう図るため、レベル調整部２０は、受信信号Ｓ１のレベルが、設定された閾値以下、又は設定された閾値より低い場合に、
可変ゲインアンプ２４の動作を停止させることができる。
【００３２】
具体的には、図３（ａ）に示すように、検波器２２には、閾値Ｔが設定されている。受信信号Ｓ１のレベルが閾値Ｔより低い場合は、検波器２２は、検出信号Ｓ８の出力を停止する。この結果、可変ゲインアンプ２４が停止される。図３（ａ）に示すように、プリアンブルを伴った受信信号Ｓ１が入力されると、受信信号Ｓ１のプリアンブルにおけるレベルは閾値Ｔより高いため、検波器２２は、検出信号Ｓ８を生成し、これを出力する。
【００３３】
また、ＩＦ処理部３０は、中間周波の信号Ｓ３に対してフィルタリングを行うバンドパスフィルタ（ＢＰＦ）３１と、増幅器（アンプ）３２と、広帯域無段階減衰器（バリアブルアッテネータ）３３とを備えている。バンドパスフィルタ３１は、中間周波の信号Ｓ３の中から、設定されたチャンネルの信号を取り出している。取り出された信号Ｓ４は、増幅器３２によって増幅され、そして、必要に応じて広帯域無段階減衰器３３によって減衰された後、得られた信号Ｓ５はベースバンド処理部４０に入力される。
【００３４】
ベースバンド処理部４０は、復調器４１と、局部発振器４２と、ドライバ４３と、ローパスフィルタ４４と、Ａ／Ｄ変換器４５とを備えている。復調器４１は、局部発振器４２から出力された局部発振信号Ｓ６と、中間周波の信号Ｓ５とを混合し、信号Ｓ５によって搬送されているベースバンド信号（ＩＱ信号）を抽出する。抽出されたベースバンド信号は、ドライバ４３によってレベル調整される。そして、ローパスフィルタ４４が、ベースバンド信号に対して、不要な信号の除去を行う。その後、ベースバンド信号は、Ａ／Ｄ変換器４５によってデジタル信号Ｓ７に変換される。本実施の形態１では、ベースバンド処理部４０からは最終的にデジタル信号Ｓ７が出力される。
【００３５】
このように、本実施の形態１における受信装置１及び受信回路２では、従来の受信装置と異なり、局部発振信号Ｓ２のレベルは、混合器１３に入力される前の受信信号Ｓ１のレベルによって決定される。よって、受信信号Ｓ１の振幅が急激に高くなっても、それに追随して、局部発振信号Ｓ２のレベルを引き上げることもできる。また、上述したように、受信信号Ｓ１のレベルが低いときは、局部発振信号Ｓ２のレベルも低くなるので、無駄な電力消費が削減される。このため、受信装置１及び受信回路２では、混合器１３として受動型が用いられているにも拘わらず、振幅の平均値と最大値との比が大きい信号に対する線形性の維持と、消費電力の低減とが達成される。
【００３６】
また、本実施の形態１において、レベル調整が行われる局部発振信号Ｓ２のレベルは、ＲＦ入力レベルが最小受信感度レベル（例えば−９０ｄＢｍ）から過大入力レベル（例えば−１０ｄＢｍ）までの信号を受信するために必要なレベル（例えば、−４０ｄＢｍ〜＋１０ｄＢｍの範囲）に設定されているのが好ましい。これは、過大入力レベル以上を受信するケースは稀であり、通常期待できる受信信号レベルに合わせておくことで、局部発振信号のレベルを頻繁に変化させることなく、動作処理の負担を軽減するためである。
【００３７】
具体的には、受信信号のＲＦ入力レベルが最小受信強度以下の場合は、局部発振信号Ｓ２のレベルは、−４０ｄＢｍ（レベル調整用増幅器（可変ゲインアンプ２４）ＯＦＦ）程度に設定される。また、ＲＦ入力レベルが通常状態の場合は、局部発振信号Ｓ２のレベルは、０ｄＢｍ（レベル調整用増幅器（可変ゲインアンプ２４）の利得０ｄＢ）程度に設定される。更に、受信信号のＲＦ入力レベルが＋１０ｄＢｍ以上の過大入力の状態の場合は、局部発振信号Ｓ２のレベルは、＋１０ｄＢｍ（レベル調整用増幅器（可変ゲインアンプ２４）の利得１０ｄＢ）程度に設定される。
【００３８】
（実施の形態２）
次に本発明の実施の形態２における受信回路及び受信装置について、図４及び図５を参
照しながら説明する。図４は、本発明の実施の形態２における受信回路及び受信装置の構成を概略的に示すブロック図である。図５は、図４に示す受信回路及び受信装置の構成をより具体的に示すブロック図である。
【００３９】
図４に示す本実施の形態２における受信装置５１は、ダイレクトコンバージョン受信装置であり、この点で、実施の形態１における受信装置１（図１参照）と異なっている。本実施の形態２における受信装置５１は、実施の形態１における受信装置１と異なり、アンテナ３、ＲＦ処理部６０、レベル調整部７０、及びベースバンド処理部８０のみを備えている。また、受信方式の違いにより、各部の機能は一部の点で実施の形態１と異なっている。本実施の形態２における受信回路５２は、アンテナ３、ＲＦ処理部６０、及びレベル調整部７０によって構成されている。以下、具体的に説明する。
【００４０】
図５に示すように、本実施の形態２においては、ＲＦ処理部６０は、低雑音増幅を行う増幅器（アンプ）６１と、受動型の混合器（ミキサ）６２と、局部発振器６３とを備えている。ＲＦ処理部６０は、混合器６２の入力側にバンドパスフィルタが備えられていない以外は、図１に示したＲＦ処理部１０と同様の構成を有している。
【００４１】
但し、本実施の形態１では、ＲＦ処理部６０は、受信信号Ｓ１１をベースバンド信号Ｓ１３に変換する。このため、局部発振器６３が出力する局部発振信号Ｓ１２の周波数は、実施の形態１における局部発振信号Ｓ２の周波数とは異なっている。
【００４２】
レベル調整部７０は、実施の形態１において図１に示したレベル調整部２０と同様に構成されている。レベル調整部７０は、カプラー７１と、検波器（ＤＥＴ）７２と、制御電圧調整器（Ｖｃｔｒｌ）７３と、可変ゲインアンプ７４とを備えている。
【００４３】
レベル調整部７０においても、実施の形態１の場合と同様に、カプラー７１によって取り出された受信信号Ｓ１１が、検波器７２に入力されると、検波器７２は、検出信号Ｓ１５を生成し、これを制御電圧調整器７３に入力する。制御電圧調整器７３は、検出信号Ｓ１５に基づいて、可変ゲインアンプ７４のゲインを制御するための制御信号Ｓ１６を生成し、これを可変ゲインアンプ７４に入力する。
【００４４】
また、可変ゲインアンプ７４は、混合器６３と局部発振器６４との間に配置され、制御信号Ｓ１６に基づいて、局部発振信号Ｓ１２のレベルを調整する。このため、本実施の形態２においても、可変ゲインアンプ２４は、受信信号Ｓ１１の振幅が大きくなると、局部発振信号Ｓ２のレベルを大きくし、受信信号Ｓ１１の振幅が小さくなると、局部発振信号Ｓ２のレベルも小さくする。この結果、本実施の形態２でも、無駄な電力消費が抑えられる。
【００４５】
また、本実施の形態２においても、実施の形態１と同様に、消費電力の低減をいっそう図るため、レベル調整部７０は、受信信号Ｓ１１のレベルが、設定された閾値以下、又は設定された閾値より低い場合に、局部発振器６３に対して、局部発振信号Ｓ１２の生成を停止させることができる。
【００４６】
また、本実施の形態２では、ダイレクトコンバージョン方式が採用されているため、実施の形態１において図１及び図２に示されたＩＦ処理部は、設けられておらず、ＲＦ処理部６０は、ベースバンド部８０に接続されている。混合器６３から出力された信号Ｓ１３は、ベースバンド部８０に入力される。
【００４７】
ベースバンド部８０は、実施の形態１において図２に示したベースバンド部４０と異なり、ローパスフィルタ８１と、アンプ８２と、Ａ／Ｄ変換器８３とを備えている。混合器
６３から出力された信号Ｓ１３は、ローパスフィルタ８１によってフィルタリングされた後、アンプ８２によって増幅され、更に、Ａ／Ｄ変換器４５によってデジタル信号Ｓ１４に変換される。本実施の形態２においても、ベースバンド処理部８０からは最終的にデジタル信号Ｓ１４が出力される。
【００４８】
このように、本実施の形態２においても、受信信号Ｓ１１のレベルが低いときは、局部発振信号Ｓ１２のレベルも低くなるので、無駄な電力消費が削減される。このため、受信装置５１及び受信回路５２では、混合器６３として受動型が用いられているにも拘わらず、振幅の平均値と最大値との比が大きい信号に対する線形性の維持と、消費電力の低減とが達成される。
【００４９】
また、本実施の形態２において、レベル調整が行われる局部発振信号Ｓ１２のレベルは、実施の形態１における局部発振信号Ｓ２と同様に設定すれば良い。つまり、局部発振信号Ｓ１２のレベルは、ＲＦ入力レベルが最小受信感度レベル（例えば−９０ｄＢｍ）から過大入力レベル（例えば−１０ｄＢｍ）までの信号を受信するために必要なレベル（例えば、−４０ｄＢｍ〜＋１０ｄＢｍの範囲）に設定されているのが好ましい。これは、本実施の形態２でも、過大入力レベル以上を受信するケースは稀であり、通常期待できる受信信号レベルに合わせておくことで、局部発振信号のレベルを頻繁に変化させることなく、動作処理の負担を軽減するためである。
【００５０】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【産業上の利用可能性】
【００５１】
以上のように、本発明における受信回路及び受信装置によれば、振幅の平均値と最大値との比が大きい信号に対する線形性の維持と消費電力の低減とを図ることができる。本発明における受信回路及び受信装置は、産業上の利用可能性を有するものである。
【符号の説明】
【００５２】
１  受信装置（実施の形態１）
２  受信回路（実施の形態１）
３  アンテナ
１０  ＲＦ処理部
１１  増幅器（アンプ）
１２  バンドパスフィルタ（ＢＰＦ）
１３  混合器（ミキサ）
１４  局部発振器
２０  レベル調整部
２１  カプラー
２２  検波器（ＤＥＴ）
２３  制御電圧調整器（Ｖｃｔｒｌ）
２４  可変ゲインアンプ２４
３０  ＩＦ処理部
３１  バンドパスフィルタ（ＢＰＦ）
３２  増幅器（アンプ）
３３  広帯域無段階減衰器（バリアブルアッテネータ）
４０  ベースバンド処理部
４１  復調器
４２  局部発振器
４３  ドライバ
４４  ローパスフィルタ
４５  Ａ／Ｄ変換器
５１  受信装置（実施の形態２）
５２  受信回路（実施の形態２）
６０  ＲＦ処理部
６１  増幅器（アンプ）
６２  受動型の混合器（ミキサ）
６３  局部発振器
７０  レベル調整部
７１  カプラー
７２  検波器（ＤＥＴ）
７３  電圧調整器（Ｖｃｔｒｌ）
７４  可変ゲインアンプ
８０  ベースバンド処理部
８１  ローパスフィルタ
８２  アンプ
８３  Ａ／Ｄ変換器
【図１】
2010166358.tif 000003
【図２】
2010166358.tif 000004
【図３】
2010166358.tif 000005
【図４】
2010166358.tif 000006
【図５】
2010166358.tif 000007
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
受信信号に対して周波数変換を行う受信回路であって、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする受信回路。
【請求項２】
前記レベル調整部は、前記局部発振器が前記混合器に入力する前記局部発振信号のレベルを調整する増幅器を備え、且つ、前記受信信号のレベルが、設定された閾値以下、又は設定された閾値より低い場合に、前記増幅器の動作を停止させる、請求項１に記載の受信回路。
【請求項３】
前記受信信号のＲＦ入力レベルが最小受信感度レベルから過大入力レベルまで変化する場合に、前記局部発振信号のレベルが、−４０ｄＢｍ〜＋１０ｄＢｍに設定されている、請求項１又は２に記載の受信回路。
【請求項４】
受信信号に対して周波数変換を行う受信回路を有する受信装置であって、
前記受信回路は、
前記受信信号の周波数を変換するための受動型の混合器と、
局部発振信号を生成し、前記局部発振信号を前記混合器に入力する局部発振器と、
前記混合器に入力される前の前記受信信号のレベルを検出し、検出したレベルに応じて、前記局部発振信号のレベルを調整するレベル調整部とを備える、
ことを特徴とする受信装置。